(57)【要約】  本発明は、少なくとも３次元を有する多次元の画像（１３）を表示する表示部（１２）と、ユーザの選択に依存して２つ以上の面（１３ａ、ｂ）で表示される前記画像を制御し、提供する多次元画像の制御部（１５）と、前記ユーザの選択を検出する検出器エレメント（１６）と、を備える携帯通信機器（１０）に関する。
2008522516.tif 000002
【特許請求の範囲】
【請求項１】
携帯通信機器（１０）であって、
複数の画像（１３）を、第１の面と第２の面に表示する表示部（１２）であって、前記画像のそれぞれは、アイコンのような複数のアイテムを備え、前記第１の面の前記複数のアイテム（１３ａ）は、前記第２の面の前記複数のアイテム（１３ｂ）の上に積み重ねられ、
前記機器（１０）が傾けられると、ユーザが前記第１の面の前記複数のアイテム（１３ａ）の背後の前記第２の面の前記複数のアイテム（１３ｂ）を見ることが出来るように、前記第１の面及び前記第２の面（１３ａ、ｂ）に表示される前記複数の画像（１３）を制御し、提供する制御部（１５）と、
前記機器の傾きを検出する検出器エレメント（１６）と、
を備えることを特徴とする携帯通信機器（１０）。
【請求項２】
前記検出器エレメント（１６）は、他の物体に対する動き又は自身の位置を検出するデバイスであることを特徴とする請求項１に記載の携帯通信機器。
【請求項３】
前記検出器エレメント（１６）は、加速度計又はジャイロである請求項２に記載の携帯通信機器。
【請求項４】
前記検出器エレメント（１６）は、自身に関連する座標系の中での動きによって動きを感知するカメラを備えることを特徴とする請求項２に記載の携帯通信機器。
【請求項５】
前記制御部は、さらに前記制御部（１５）の不必要な動作を避けるための、有効化エレメントによって制御されるように構成されることを特徴とする請求項１乃至４のいずれか１項に記載の携帯通信機器。
【請求項６】
前記携帯通信機器は、移動体電話機であることを特徴とする請求項１乃至５のいずれか１項に記載の携帯通信機器。
【発明の詳細な説明】
【技術分野】
【０００１】
本発明は、携帯通信機器の分野に関し、より詳しくは、３Ｄディスプレイのような、少なくとも３次元（３Ｄ）のＭＭＩ（マン−マシン−インタフェース）を有する携帯通信機器に関する。
【背景技術】
【０００２】
セルラ電話機のような携帯通信機器は、例えば、立体的に見えるディスプレイ、典型的には３Ｄディスプレイのような、立体的に見えるＭＭＩを提供することが出来る。この点については、例えば単一のカメラを使用して立体的な画像を撮像し、生成し、表示する移動体機器を記述する欧州公開特許ＥＰ−Ａ１−１３７９０６３号に記述されている。
【０００３】
【特許文献１】欧州特許公開第ＥＰ−Ａ１−１３７９０６３号
【発明の開示】
【発明が解決しようとする課題】
【０００４】
数年のうちに、３Ｄディスプレイは、おそらくセルラ電話機において一般的になり、それにより、ユーザが３次元で画像を見ることが出来るようになるであろう。そして、それにより、特に画像のリアリティに関して進歩した機能が電話機に付加されるであろう。しかしながら、例えば３ＤのＭＭＩの視点からすれば、３Ｄディスプレイから得られる利点について、さらなる要望がある。
【課題を解決するための手段】
【０００５】
本発明は、現在の２Ｄの機器より多くの次元を使用することから得られる利益をもたらす、新しい機能を備えた３Ｄディスプレイを有する将来の携帯通信機器を提供するとする課題の解決を目的とする。
【０００６】
本発明の１つの目的は、現在よりも改良されたＭＭＩの機能を有する携帯通信機器を提供することにある。
【０００７】
本明細書において、”ＭＭＩ”という用語は、携帯通信機器のための任意のマン−マシン−インタフェースに関するものとして用いられており、ディスプレイに限定されない。
【０００８】
本発明の第１の側面によれば、この目的は、少なくとも３次元を有する多次元画像を表示する表示部と、
ユーザの選択に応じて、２つ以上の面で表示されるように前記画像を制御し、提供する多次元画像制御部と、
前記ユーザの選択を検出する検出器エレメントと、を備える携帯通信機器によって達成される。
【０００９】
本発明の第２の側面は、前記第１の側面の前記特徴を含む携帯通信機器に向けられ、前記検出器エレメントは、他の物体に対する動き又は自身の位置を検出するデバイスである。
【００１０】
本発明の第３の側面は、前記第２の側面の前記特徴を含む携帯通信機器に向けられ、前記検出器エレメントは、加速度計又はジャイロである。
【００１１】
本発明の第４の側面は、前記第２の側面の前記特徴を含む携帯通信機器に向けられ、前記検出器エレメントは、自身に関連する座標系の中での動きによって動きを感知するカメラを備える。
【００１２】
本発明の第５の側面は、前述のいずれか１つの前記側面の前記特徴を含む携帯通信機器に向けられ、前記制御部は、前記機器が傾けられた場合、第１の面の背後の第２の面に何があるかをユーザが見られるように表示されるように前記画像を提供する。
【００１３】
本発明の第６の側面は、前記第５の側面の前記特徴を含む携帯通信機器に向けられ、前記面は、ユーザの視点からは互いに積み重なって見える、アイコン等の複数のアイテムを備える。
【００１４】
本発明の第７の側面は、前記第１の側面の前記特徴を含む携帯通信機器に向けられ、前記制御部は、さらに前記制御部の不必要な動作を避けるための有効化エレメントによって制御されるように構成される。
【００１５】
本発明の第８の側面は、前記第１の側面の前記特徴を含む携帯通信機器に向けられ、前記携帯通信機器はセルラ電話機である。
【００１６】
本発明は多くの利点を有する。例えば本発明による機器は、将来の３ＤＭＭＩ及び特に３Ｄディスプレイから利益を得るであろう。ユーザは、アイテムの第１の面の後ろにあるものを見ることが出来る。例えば、典型的にはユーザが選択可能なアイテムに関連したアイコンは、アイテムの１つの面だけでなく、ユーザが選択可能なアイテムの幾つかの面で示されうる。
【００１７】
当然のことながら、この明細書で使用される用語の”備える／備えている”は、記述された特徴、整数、ステップ或いは構成物の存在を特定するのに用いられているが、しかし、１つ以上の他の特徴、整数、ステップ、構成物又はそれらのグループの存在又は追加を排除するものではない。
【発明を実施するための最良の形態】
【００１８】
本発明は、以下の添付された図面に関連してより詳しく説明される。
本発明による携帯通信機器は、以下本発明の好適な変形例であるセルラ電話機に関連して説明される。電話機は、さらに所謂スティック型電話機に関連して説明されるが、しかしクラムシェル型電話機のような他の型式の電話機であってもよい。携帯通信機器は、またコードレス電話機、通信モジュール、ＰＤＡ、ラップトップコンピュータ、又は無線電波で通信する他の形式の携帯用機器のような、その他の形式の機器であってもよい。
【００１９】
図１は、本発明の実施形態に係る電話機１０の前面斜視図を図式的に示す。電話機１０は、３Ｄディスプレイ１２及び、ディスプレイ１２の下側に設けられたキーパッド１４上の複数のキーを含む。この図において、３Ｄディスプレイは、表示される画像に奥行き感を提供する３Ｄ機能を有する拡張された立体視２Ｄディスプレイを含む、どのような好適な３Ｄディスプレイであってもよい。したがって、３Ｄ機能を提供するための偏光メガネのようなものを含む２Ｄディスプレイも、本発明の範囲内で利用可能である。この様な技術や、他の３Ｄ画像の変換技術は当業者にはよく知られているものであるので、ここではそれらについてこれ以上の詳しい説明はしない。
【００２０】
以下、図１に図示された電話機の内部の簡略化したブロック図を模式的に示す図２を参照する。図２は、電話機内部の、本実施形態に係る本発明に関連する部分を模式的に示したものである。信号処理部分等の本発明に直接関連しない既知の部分や機能は、セルラ電話機のような携帯通信機器の技術分野の当業者にはよく知られているものと考えられるため、本発明のより良い理解のために図面から省略されている。
【００２１】
本実施形態においては、電話機１０は、少なくとも３次元を有する多次元の画像１３を表示する表示部１２を含む。表示部１２は、一般的には、それ自体良く知られている液晶の３Ｄディスプレイである。たとえば、欧州公開特許ＥＰ−Ａ１−１３７９０６３号を参照の事。
【００２２】
さらに、電話機１０は、電話機１０のユーザの選択に応じて、ユーザ視点から見て複数の面が互いに重なっているように画像１３（より正確には、アイテムを備える複数の面１３ａ−ｂであり、アイコンのようなアイテムを含んだ第１の面１３ａのみが図示されている）を制御及び提供する３Ｄ画像制御部１５と、ユーザの選択を検出するための検出器エレメント１６を含んでいる。検出器エレメント１６（又は、ユーザが操作する従来のキーのような任意のユーザ選択要素）により、ユーザは、第２の面１３ｂも表示されるよう、例えば電話機をある程度傾ける（即ち、電話機の動き又は位置が検知される）ことにより、表示される画像（より正確には、アイテム即ちアイコンを含んでいる面１３ａ−ｂ）を選択することができる。あるいは、検出器エレメント１６（又は、ユーザが操作する従来のキーのような任意のユーザ選択要素）により、ユーザは、第１の面１３ａの背後に位置する第２の面１３ｂが表示されるように選択することができる。
【００２３】
画像制御部１５は、一般的に画像１３を制御するプログラムを実行するプロセッサ１５ａと、プロセッサ１５ａに参照されるメモリ１５ｂと、を備える。このプロセッサは特別なプロセッサであってもよいし、又は電話機の中で他の目的で使用されるマイクロプロセッサのようなプロセッサであってもよい。好ましくは、このプロセッサは、電話機の速度の測定値を得るための加速度の測定値の時間積分と、電話機の位置の測定値を得るための速度の測定値の時間積分とを常時実行する。これらの積分機能は、変形例として、プロセッサ１５ａではなく加速度計に接続された専用のプロセッサによって実行されることも可能である。検出器エレメント１６は、好ましくは加速度計であるが、電話機１０の動き（傾き）を検出するのに好適な他のいかなる機器を設けうる。例えば、カメラ（一般的に電話機に内蔵された、好ましいソフトウエアを備えた既知のデジタルカメラモジュール）は、座標系を使用することで本発明から逸脱することなく検出器エレメント１６として採用することが出来る。その場合、追加のカメラを提供する必要はなく、従前の電話機で使用されているカメラを使用することが出来る。これらの実施については当業者にはよく知られていることなのでこれ以上詳しく説明しない。
【００２４】
検出器エレメントはキーボード１４に置き換えられることも可能である。その場合、画像制御部１５は、ユーザ設定に従って画像制御部１５を操作するように割り当てられた画像回転キー又は他の適切なキー又はカーソルによる入力を含む、それ自体良く知られた方法により、キーボードを介してユーザからの入力を受信する。
【００２５】
さらに、制御部１５は、制御部１５の不必要な動作を避けるために、有効化要素（図示せず）によっても制御されるように構成されうる。
【００２６】
図３ａ−ｃは、図１に示した携帯通信機器の表示をより詳しく示す図であり、図３ａ−ｃでは、複数のアイコンの１つの面が３Ｄ画像として示されている。
図３ｂは、図３ａと同じ表示を示すが、ユーザがセルラ電話機を右に傾けた場合であって、アイコンの第２の面が現れ始めた状態を示している。また、図３ｃは、図３ａ及びｂのと同じ表示を示すが、電話機がさらに右に傾けられて、第２の面が明確に現れた状態を示している。
【００２７】
図３ａにおいては、表示装置１２を見ているユーザ（図示せず）には、第１の面に配置されたアイコン等の第１のアイテム１３ａ’を含んだ第１の面１３ａが見える。アイテム１３ａ’は、例えばメッセージ、メディアプレーヤ、ビデオコール、設定等を表すことが出来、３Ｄ画像として表示される。このモードにあっては、基本的に見えうるユーザの視点からは、ユーザは、このアイコンの第１の面の背後に何が隠れているかを見ることが出来ない。
【００２８】
図３ｂにおいて、ユーザ（もちろん、他の誰であってもよい）が電話機を右に傾け始め、それは、ここでは加速度計である検出器１６によって検出される。すると、ユーザが第１の面１３ａ（図３ａに示される）の背後に何があるかを見ることが出来るような、ＭＭＩの別の外観(view)が現れる。図３ｂにおいて、新たなアイコン１３ｂ’が現れ始めていることが明確に理解されよう。
【００２９】
図３ｃにおいては、ユーザは電話機をさらに右に傾けており、アイコンの第２の面１３ｂがますます見えるようになってきている。
【００３０】
図４は、電話機の上述した機能を制御するため、電話機１０の動きがどのように使用されるかを、より詳細に示している。図４は、本発明を実施するために、ユーザの手をどのように傾けることができるかを明確に示している（２つの矢印で図示されている）。図４は、ディスプレイ１４の右側に多少傾いた位置を示し、２つの面１３ａ及び１３ｂが明確に区別されて現れている（図３ｃに図示された状況に対応する）。
【００３１】
説明してきた本発明の実施形態によれば、動きを感知できるような検出器機器を有することで、ユーザは、横から見たり、さらには第１の面１３ａの背後を見るために電話機を傾かせることが出来る。これは、３Ｄ表示の有効利用を提供するであろう。
【００３２】
このようにして、ユーザの好みに応じて情報を示すことにより、多くの情報を小さなディスプレイ領域に簡単に提供することが出来る。メニューシステムにより選択可能な情報を単純に使用する既知の方法とは異なり、より多くの情報を、同時に、そして小さな領域に表示することが出来る。少なくとも現在及び近い将来の電話機においては、ディスプレイ領域は多くの場合、ラップトップやＰＣ等の他の携帯又は固定の機器と比較して小さくなるであろう。そのため、本発明は、電話機又は小さなディスプレイ領域を有する他の機器において、特に有効である。
【００３３】
さらに本発明は、複数のキーを配置するのに要求されるスペースや、分りづらく使いにくいであろう複数のキーの使用に係る課題を、本発明のＭＭＩの使いやすい制御によって解決する。
【００３４】
本発明に係る携帯通信機器は、上記で説明してきたもの以外に、多くのやり方で変形することが出来る。
【図面の簡単な説明】
【００３５】
【図１】本発明の実施形態に係る携帯通信機器を、３Ｄディスプレイを有するセルラ電話機の形で図式的に示す正面図を図示する。
【図２】図１に図示された電話機の関連のある部分を図式的に示す簡略化したブロック回路図を図示する。
【図３ａ】アイコンの１つの面が３Ｄ画像として示されている、図１に示された携帯通信機器のディスプレイを図示する。
【図３ｂ】図２ａと同じディスプレイを図示するが、ユーザがセルラ電話機を右に傾けた場合であって、そこでは、アイコンの第２の面が現れ始めている。
【図３ｃ】図２ａ及びｂと同じディスプレイを図示するが、しかしさらに右に傾けられた場合であって、そこでは、第２の面が明確に現れている。
【図４】ユーザの手に握られた、図１に図示された電話機を図示する。
【図１】
2008522516.tif 000003
【図２】
2008522516.tif 000004
【図３ａ】
2008522516.tif 000005
【図３ｂ】
2008522516.tif 000006
【図３ｃ】
2008522516.tif 000007
【図４】
2008522516.tif 000008
【手続補正書】
【提出日】平成18年10月2日(2006.10.2)
【手続補正１】
【補正対象書類名】特許請求の範囲
【補正対象項目名】全文
【補正方法】変更
【補正の内容】
【特許請求の範囲】
【請求項１】
携帯通信機器（１０）であって、
複数の画像（１３）を、第１の面と第２の面に表示する表示部（１２）であって、前記画像のそれぞれは、アイコンのような複数のアイテムを備え、前記第１の面の前記複数のアイテム（１３ａ）は、前記第２の面の前記複数のアイテム（１３ｂ）の上に積み重ねられ、
前記機器の傾きを検出する検出器エレメント（１６）と、
前記検出された傾きに基づく前記複数の面における前記複数のアイテムの見え方の変化によって、機器（１０）が傾けられると、ユーザが前記第１の面の前記複数のアイテム（１３ａ）の背後の前記第２の面の前記複数のアイテム（１３ｂ）を見ることが出来るように、前記第１の面及び前記第２の面（１３ａ、ｂ）における前記複数の画像（１３）を制御し、提供する制御部（１５）と、
を備えることを特徴とする携帯通信機器（１０）。
【請求項２】
前記検出器エレメント（１６）は、他の物体に対する動き又は自身の位置を検出するデバイスであることを特徴とする請求項１に記載の携帯通信機器。
【請求項３】
前記検出器エレメント（１６）は、加速度計又はジャイロである請求項２に記載の携帯通信機器。
【請求項４】
前記検出器エレメント（１６）は、自身に関連する座標系の中での動きによって動きを感知するカメラを備えることを特徴とする請求項２に記載の携帯通信機器。
【請求項５】
前記制御部は、さらに前記制御部（１５）の不必要な動作を避けるための、有効化エレメントによって制御されるように構成されることを特徴とする請求項１乃至４のいずれか１項に記載の携帯通信機器。
【請求項６】
前記携帯通信機器は、移動体電話機であることを特徴とする請求項１乃至５のいずれか１項に記載の携帯通信機器。
【手続補正書】
【提出日】平成19年7月6日(2007.7.6)
【手続補正１】
【補正対象書類名】図面
【補正対象項目名】図１
【補正方法】変更
【補正の内容】
【図１】
2008522516.tif 000009
【手続補正２】
【補正対象書類名】図面
【補正対象項目名】図２
【補正方法】変更
【補正の内容】
【図２】
2008522516.tif 000010
【手続補正３】
【補正対象書類名】図面
【補正対象項目名】図３ａ
【補正方法】変更
【補正の内容】
【図３ａ】
2008522516.tif 000011
【手続補正４】
【補正対象書類名】図面
【補正対象項目名】図３ｂ
【補正方法】変更
【補正の内容】
【図３ｂ】
2008522516.tif 000012
【手続補正５】
【補正対象書類名】図面
【補正対象項目名】図３ｃ
【補正方法】変更
【補正の内容】
【図３ｃ】
2008522516.tif 000013
【手続補正６】
【補正対象書類名】図面
【補正対象項目名】図４
【補正方法】変更
【補正の内容】
【図４】
2008522516.tif 000014
【国際調査報告】
2008522516.tif 000015
2008522516.tif 000016